(57)【要約】【課題】折りたたみと拡張が簡便な操作で実現でき、否使用時には小さくまとめておくことのできる散乱防止用覆いを供すること。【解決手段】  網や布等である布状体と、折りたたみ可能な腕部と、設置手段とによって構成され、設置手段に接合されて前記布状体の上部を地上の所定の高さに支え持つことが出来、前記腕部の操作によって前記布状体の折りたたみ及び伸展を可能としたことを特徴とする散乱防止用覆いを供する。前記覆いを収納するための収納部かカバーを有し、前記腕部の操作により前記覆いを縮小し、該覆いを前記収納部かカバー内に収納できるようにした散乱防止用覆いを供する。【選択図】  図５
2007001687.tif 000002
【特許請求の範囲】
【請求項１】
網や布等である布状体と、折りたたみ可能な腕部と、設置手段とによって構成され、設置手段に接合されて前記布状体の上部を地上の所定の高さに支え持つことが出来、前記腕部の操作によって前記布状体の折りたたみ及び伸展を可能としたことを特徴とする散乱防止用覆い。
【請求項２】
前記覆いを収納するための収納部かカバーを有し、前記腕部の操作により前記覆いを縮小し、該覆いを前記収納部かカバー内に収納できるようにした請求項１に記載した散乱防止用覆い。
【請求項３】
前記腕部を出入可能に支持する支持部が当該腕部の付け根近くで当該腕部の上側を押さえ、当該押さえた位置よりも当該腕部の先端寄りの位置を下から支える構成の支持部を有し、当該押さえた位置と支えた接点に腕部の自重あるいは当該腕部に下げた前記覆いの重量をかけることによって固定することを特徴とし、当該腕部を下から手前方向に向かってせり出し可能とした請求項１か２のいずれかに記載した散乱防止用覆い。
【請求項４】
前記腕部が前記設置手段に水平方向への回動可能に接合され、前記腕部が回動することで前記布状体の折りたたみ及び伸展を可能すると共に、前記腕部が回動することで横方向からの衝撃を和らげることを可能にした請求項１か２のいずれかに記載した散乱防止用覆い。
【請求項５】
複数の腕部が回動又は振動可能に互いに接合され、当該腕部が回動または振動することで、地上の所定の高さに設置された前記布状体の折りたたみ及び伸展を可能にすることを特徴とする請求項１か２のいずれかに記載した散乱防止用覆い。
【発明の詳細な説明】
【技術分野】
【０００１】
本発明はごみ集荷場等におけるごみの散乱を防止する散乱防止用覆いに関するものである。
【背景技術】
【０００２】
近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。
【０００３】
【特許文献１】特許３４９１２６２  特許３４９１２６２に記載された発明は「ネット（１）の左右縁枠の点と、それより大きなネット（２）の左右縁枠の点をそれぞれ接合し、長さの異なる縁枠を壁に寄せながら縫合し、ネット（１）の縁枠下側の一部に棒を取り付けてゴミ集積ネットを構成、正面のふたが下方に開くそのゴミ集積ネットの収納ケースを固定柱に取り付け、そのケース上部の左右の壁には棒を差し込み、固定できる溝を設け、ケース下部にネット（１）とネット（２）が縫合されてなるネットの上部を固定、そのケースから垂らしたネット（１）の長さがケースから地面の高さより長いことを特徴とする収納ケース付ゴミ集積ネット。」（請求項１）である。
【０００４】
前記特許３４９１２６２に記載された発明は「ネット（１）の縁枠下側の一部に棒を取り付けて」「ゴミ集積ネットの収納ケース」の「上部の左右の壁には棒を差し込み、固定できる溝を設け」てある。当該棒は使用時には取り外されて、前記収納ケースから下に垂れ下がることになる。当該棒が垂れ下がらずに支柱あるいは壁面等に取り付けられ、当該棒に前記ネットが支持されていれば、前記ネットの一部がつまみ上げられた状態になり、当該ネット下にゴミ類を入れやすくなる。また、当該棒の一部が可動的に支持され、当該棒を回動等の操作によって折りたたみ可能とすれば、当該ネットは小さくまとめやすくなる。当該棒が支柱や壁面等に可動的に取り付けられ、当該棒の操作により当該ネットの折りたたみを容易にした散乱防止用覆いが望まれる。
【０００５】
また、前記収納ケースに当該棒の一端を可動的に接合するか、可動的に設置した前記棒を覆うように前記収納ケースを設けることによって、当該棒を回動等の操作をすることによって拡張すれば前記ネットは自動的に広げられ、取り扱いが極めて容易となる。また，前記棒を折り畳む等の操作によって前記ネットが自動的に折りたたまれ、収納がより容易になる。当該棒が可動的に接合支持され、折りたたむことで当該ネットの収納を容易にした散乱防止用覆いが望まれる。
【０００６】
【特許文献２】特願２００４−３５３７８１号  特願２００４−３５３７８１号に記載された発明は布状体によって構成された上下に開口する筒を散乱防止用覆いとした例であるが、壁際などに設置した場合、集積量が多くなるにつれ正面方向に向かって突出してくるため、横に長く拡張し、上に積み上げる量を減らしたい。しかしあまり横に長くすると設置場所が限られたり、見苦しくもある。折りたたみが容易で否使用時には小さく折り畳んでおけるような散乱防止用覆いが望まれる。
【０００７】
【特許文献３】特願２００５−１４３６３４
【特許文献４】特願２００４−３６９０３０  実施例５と実施例６は特願２００５−１４３６３４と特願２００４−３６９０３０の改良発明であり、筒状体の上部にさがりを設けた投入口を有し、下部開口部に絞り込み手段を有した散乱防止用覆いであるる。さがりがあることでカラスの侵入を防ぎ、下部開口部に絞り込み手段があることで覆いの裾からの鳥獣の侵入を防ぐと同時に集積した内容物を取り出ししやすくしている。しかし、それだけでは狭小な路上等に設置した散乱防止用覆いが通行の妨げになる。使用時には腕部が前方に突出し、集積物の投入を容易にし否使用時には腕部２が折り畳まれて壁際に張り付いたように縮小される散乱防止用覆いとなり、本実施例がそれを実現している。
【発明の開示】
【発明が解決しようとする課題】
【０００８】
折りたたみと拡張が簡便な操作で実現でき、否使用時には小さくまとめておくことのできる使い勝手の良い散乱防止用覆いを供すること。
【課題を解決するための手段】
【０００９】
網や布等である布状体と、折りたたみ可能な腕部と、設置手段とによって構成され、設置手段に接合されて前記布状体の上部を地上の所定の高さに支え持つことが出来、前記腕部の操作によって前記布状体の折りたたみ及び伸展を可能としたことを特徴とする散乱防止用覆いを供する。
【００１０】
前記覆いを収納するための収納部かカバーを有し、前記腕部の操作により前記覆いを縮小し、該覆いを前記収納部かカバー内に収納できるようにした散乱防止用覆いを供する。
【００１１】
前記腕部を出入可能に支持する支持部が当該腕部の付け根近くで当該腕部の上側を押さえ、当該押さえた位置よりも当該腕部の先端寄りの位置を下から支える構成の支持部を有し、当該押さえた位置と支えた接点に腕部の自重あるいは当該腕部に下げた前記覆いの重量をかけることによって固定することを特徴とし、当該腕部を下から手前方向に向かってせり出し可能とした散乱防止用覆いを供する。
【００１２】
前記腕部が前記設置手段に水平方向への回動可能に接合され、前記腕部が回動することで前記布状体の折りたたみ及び伸展を可能すると共に、前記腕部が回動することで横方向からの衝撃を和らげることを可能にした散乱防止用覆いを供する。
【００１３】
複数の腕部が回動又は振動可能に互いに接合され、当該腕部が回動または振動することで、地上の所定の高さに設置された前記布状体の折りたたみ及び伸展を可能にすることを特徴とする散乱防止用覆いを供する。
【発明の効果】
【００１４】
網や布等である布状体と、折りたたみ可能な腕部と、設置手段とによって構成され、設置手段に接合されて前記布状体の上部を地上の所定の高さに支え持つことが出来、前記腕部の操作によって前記布状体の折りたたみ及び伸展を可能としたことを特徴とする散乱防止用覆いであるため，次の効果を奏する。
【００１５】
布状体である覆いを支え持っていることから、前記覆いの裾をつまみ上げて、下へゴミ袋等の集積物を入れやすい。また、前記覆いの上部に投入口を設けた場合には該覆いの下に投入物を集積するための空間を作りやすく、使い勝手の良い散乱防止用覆いが構成できる。また、前記腕部が折りたたみ可能であるため、該腕部を折り畳むことでこれに連結した前記覆いも同時に折り畳めることから、該覆いを小さく畳んで片づける作業を効率的に行うことができる。
【００１６】
前記覆いを収納するための収納部かカバーを有し、前記腕部の操作により前記覆いを縮小し、該覆いを前記収納部かカバー内に収納できるようにした散乱防止用覆いであるため，次の効果を奏する。
【００１７】
商店街等美観を優先させる必要のある地域において、全体を小さくまとめて前記収納部かカバーでこれを包み込み、美観を損ねることなく設置できるゴミ袋等の散乱防止用覆いを実現できる。  
【００１８】
前記腕部を出入可能に支持する支持部が当該腕部の付け根近くで当該腕部の上側を押さえ、当該押さえた位置よりも当該腕部の先端寄りの位置を下から支える構成の支持部を有し、当該押さえた位置と支えた接点に腕部の自重あるいは当該腕部に下げた前記覆いの重量をかけることによって固定することを特徴とし、当該腕部を下から手前方向に向かってせり出し可能とした散乱防止用覆いであるため，次の効果を奏する。
【００１９】
非常に簡単な構成でありながら、手前方向に突出した前記腕部を、方向を変えながら下に向かって垂れ下がるように押し込むことで体積を減じることが出来る。  
【００２０】
前記腕部が前記設置手段に水平方向への回動可能に接合され、前記腕部が回動することで前記布状体の折りたたみ及び伸展を可能すると共に、前記腕部が回動することで横方向からの衝撃を和らげることを可能にした散乱防止用覆いであるため，次の効果を奏する。
【００２１】
自転車や自動車が前記腕部に接触した場合、当該腕部が横に回動して力を逃がし、衝撃を和らげるため、散乱防止用覆いを狭小地に設置したことによる事故を防ぐことができる。
【００２２】
複数の腕部が回動又は振動可能に互いに接合され、当該腕部が回動または振動することで、地上の所定の高さに設置された前記布状体の折りたたみ及び伸展を可能にすることを特徴とする散乱防止用覆いであるため，次の効果を奏する。
【００２３】
布状体が柱を互いに引き合うように拘束して全体の形状が安定する。又、構造が極めて単純であり製造が容易である。
【発明を実施するための最良の形態】
【００２４】
本願発明は簡便に折り畳むことができ、否使用時には小さくまとめておくことのできる散乱防止用覆いを供することにあり、以下図に基づき具体的に述べるものとする。なお、請求項と明細書における「折りたたみ可能な腕部」とは腕部を入れ子式にすることや、腕部を回動させることや、支持部から腕部を出没させること等を含むものであって、該腕部の操作により、該腕部に取り付けられた散乱防止用覆いの主体である布状体の長さを変えたり、当該布状体が占める空間を縮小することを「可能にした腕部」であることを意味するものである。また、「カバー」は本件発明の「布状体による覆い」を小さくまとめたものを覆うための覆いあるいは容器である。
【実施例１】
【００２５】
図１は実施例１の斜視図であって，下に空間を形成できるように網や布である布状体１の中程をつまみ上げて腕部２である腕部Ａ２１（２）に設けられたフックＡ２１１に掛着し、該腕部Ａ２１（２）は回動自在な連結部Ａ３１（３）を介して支持部Ａ４１（４）に接合され、該支持部Ａ４１（４）は設置手段５である柱Ａ５１（５）に固定される。設置手段５は壁などの平面的なものにも置き換え可能である。腕部２が布状体１を支え持っていることから、前記布状体１の裾１１をつまみ上げて、下へゴミ袋等の集積物１００を入れることが容易に出来る。また、前記腕部２を矢印６である矢印Ａ６１（６）と矢印Ｂ６２（６）の方向に回動させることにより該腕部２に掛着させてある布状体１を折り畳むことが可能であることから、布状体１を小さく畳んで片づける作業を効率的に行うことができる。また、前記布状体１の下に集積物１００を集積するための空間を作りやすく、使い勝手の良い散乱防止用覆いが構成できる。集積物１００の回収は布状体1の裾をめくりあげることや、布状体１を折り畳むようにまとめて引き上げることによって、集積物１００が布状体内から転がり出す。
【実施例２】
【００２６】
図２は実施例２の斜視図である。柱Ｂ５２（５）から支持部Ｂ４２（４）を手前方向に伸ばし、先端に連結部Ｂ３２（３）を設け、該連結部Ｂ３２（３）を介して腕部Ｂ２２（２）を設ける。該連結部Ｂ３２（３）と腕部Ｂ２２（２）の先端にフックＡ２１１を設け、布状体１を掛着させる。柱Ｂ５２（５）に布状体１用のカバー７であるシート７１（７）を設置する。該シート７１は平面的な布状体であって下部に掛着手段である掛止穴７１２を設け、上端近くの複数箇所を柱Ｂ５２（５）に固定し、平面的に垂れ下げて設置される。本実施例の否使用時には矢印Ａ６１（６）と矢印Ｂ６２（６）の方向に回動させ折り畳むと該腕部２に掛着された布状体1も縦長に折り畳まれる。該折り畳まれた布状体１の長さの上からほぼ四分の三の位置付近を手にとって矢印Ｃ６３（６）の方向に持ち上げ、折り畳まれた前記腕部Ｂ２２（２）に掛けるようにして、該腕部Ｂ２２（２）と前記シート７１（７）との間に押し込む。
【００２７】
以上により、布状体１はシート７１の前に小さく折り畳まれて腕部２に掛けられた状態になる。シート７１（７）の裾７１１をつまみ上げて掛着手段である掛止穴７１２をフックＢ２１２に掛着することで、布状体1はシート７１によって包み込まれ、一定の美観を保つことができる。支持部Ｂ４２（４）を省略し、柱Ｂ５２（５）に連結部Ｂ３２（３）を固定することも可能で、その場合シート７１（７）は柱Ｂ５２（５）の後ろに取り付け、下から前に回して柱Ｂ５２（５）の上端部に設けたフックＢ２１２に掛着穴７１２を掛着する。以上のようにして、布状態は1はシート７１に覆われて美観を保つ。前記折り畳まれた腕部Ｂ２２（２）の他に掛止用の腕部２を設けることも可能である。その場合作業上の安定感が得られる。
【実施例３】
【００２８】
図３は実施例３の斜視図である。実施例３は実施例２とほぼ同様であって、実施例２におけるカバー７を蓋７２１（７）を有する容器７２（７）に入れ替えたものである。該容器は前記シート７１（７）を立体的に縫製したものを含むものとする。支持部Ｂ４２（４）を省略し連結部Ｂ３２（３）を容器７２（７）の側面あるいは柱Ｃ５３（５）に取り付ける。使用方法は実施例２と同様であって、腕部Ｂ２２（２）を矢印Ａ６１（６）と矢印Ｂ６２（６）の方向に回動させて折りたたみ、そのことによって折り畳まれた布状体１を長さの上からほぼ四分の三の位置あたりを手にとって矢印Ｃ６３（６）の方向に持ち上げ、前記折り畳まれた腕部Ｂ２２（２）に掛けるように該腕部Ｂ２２（２）と前記容器７２（７）との間に押し込んで布状体１をを小さく折り畳み、蓋７２１（７）を上に向かってとじる。布状体１を完全に覆い隠すことができ、美観が保たれる。
【実施例４】
【００２９】
図４は実施例４の斜視図である。本実施例は特願２００４−３５３７８１の改良発明であり、布状体１である上下に開口する筒状体１０（１）を腕部Ａ２１（２）に掛着したものである。該腕部２に筒状体１０の奥側を複数箇所固定し、該筒状体１０の上端部手前側に開閉手段８であるリングＡ８１（８）を設け、腕部Ａ２１（２）に設けられたフックＡ２１１に掛着する。集積物１００の投入は該リングＡ８１（８）をはずして手前に引き寄せることで該筒状体１０の上端部を開口し、投入する。該集積物１００の回収の仕方は前記実施例１と同様である。本実施例にもカバー７であるシート７１（７）や容器７２（７）を採用することが可能であり、その場合の使用方法は実施例２と３に同様である。
【実施例５】
【００３０】
図５における図Ａは実施例５の斜視図であり、図Ｂは同図における柱と腕部の連結部の部分拡大図である。腕部Ｃ２３（２）は連結部Ｃ３３であるピンによって手前方向に突き出すように柱Ｄ５４（５）に取り付けられ、垂直方向に回動可能に連結される。矢印Ｄ６４（６）の方向に回動させて折りたたみ可能とし、使用時は該腕部Ｃ２３（２）は手前方向に突き出した状態で支持部Ｂ４２によって支えられる。該腕部Ｃ２３（２）の先端にはフックＣ２１３を配し、筒状体１０の手前側上部を掛止する。筒状体１０の奥側上部は左右の柱Ｄ５４（５）をつなぐ腕部Ｄ２４（２）に掛止される。
実施例１ないし３が横方向へ布状体１を拡張したのに対し本実施例は腕部Ｃ２３（２）に筒状体１０（１）の手前側と奥側とが掛着されて手前方向に拡張し立体な空間を形成する。腕部Ｃ２３（２）を上方向に回動させると筒状体１０（１）は手前が奥方向に移動して平面的に押しつぶされる。腕部Ｃ２３（２）を前記矢印Ｄ６４（６）が示す方向とは逆方向に回動させ、否使用時に腕部を下に垂らした状態にしておくことも可能である。使用時のみ腕を上に上げるようにするには支持部Ｂ４２を跳ね上げ可能に構成するか腕部Ｃ２３（２）が支持部Ｂ４２の横を回避して上に向かって回動できるようにゆとりを持って連結する。
【００３１】
本実施例は特願２００４−３６９０３０と特願２００５−１４３６３４の改良発明でもあり、布状体１である上下に開口する筒状体１０の投入口１０１には「さがり」１２を設けてあり、「さがり」１２の存在がカラスなどの鳥獣の侵入を防ぐ。該「さがり」１２は筒状体１０（１）の天井部１３（１）の端を投入口１０１の開始部において曲折させて下に垂らしたものである。下部開口部１０２には絞り込み手段であるロープ１０３が配されており、ロープ１０３は一端が設置手段である柱Ｄ５４（５）に設けられたロープ固定用のリング８３であるリングＣ８３１（８３）に掛着され、下部開口部１０２周縁付近に設けられたロープ１０３を筒状体１０に掛着するためのリングＢ８２（８）内を通って下部開口部１０２を両側から挟みこんで、柱Ｄ５４（５）に設けられたリングＤ８３２（８３）を通り、もう一端が柱Ｄ５４（５）の上部に設けられたフックＤ２１４に掛着される。該フックＤ２１４からロープ１０３をはずすと該ロープ１０３にさみつけられ閉ざされていた下部開口部１０２が開口する。そのことで筒状体１０内部の集積された集積物１００が外に向かって押し出される。
【実施例６】
【００３２】
図６における図Ａは実施例６の斜視図であり、柱Ｅ５５（５）に設けられた連結部Ｄ３４（３）に腕部Ｄ２４（２）を遊嵌し、出入可能に設置する。該腕部Ｄ２４（２）の先端にはフックＥ２１５が設けられ筒状体１０（１）の手前側が掛着される。筒状体１０（１）の奥側は柱Ｅ５５（５）もしくは連結部Ｄ３４（３）に設けたフック等に掛着される。該腕部Ｄ２４（２）を奥に向かって押し込むと、それに伴い筒状体１０（１）の手前が奥方向に移動して平面的に押しつぶされる。図Ｂは、腕部Ｄ２４（２）が連結部Ｄ３４（３）の中を通って手前方向に押し出された状態を示し、該腕部Ｄ２４（２）を矢印Ｅ６５（６）の方向に押し込むと図Ｃのようになる。
【００３３】
図Ｃは腕部Ｄ２４（２）が奥方向（矢印Ｅ６５の方向）に向かって方向を変えながら押し込まれ、垂れ下がった状態を示している。図Ｄは図ＡないしＣにおける連結部Ｄ３４（３）を連結部Ｅ３５（３）に置き換えた例である。連結部Ｅ３５（３）は図Ｅのごとき細長い横長のリング状であって、該リングの一端で、腕部Ｄ２４（２）の付け根近くを上から押さえ、他の一端で該腕部腕部Ｄ２４（２）の前記上から押さえ位置よりも先端よりの位置を下から支える。腕部Ｄ２４（２）は自重による前記押さえた接点への加圧により固定される。
【００３４】
本実施例は特願２００４−３６９０３０と特願２００５−１４３６３４の改良発明でもあり、布状体１である上下に開口する筒状体１０の投入口１０１には「さがり」１２を設けてあり、「さがり」１２の存在がカラスの侵入を防ぐ。下部開口部には絞り込み手段である棒１０４が配されており、棒１０４の両端部が設置手段である柱Ｅ５５（５）に設けられたフックＦ２１６に掛着される。フックＦ２１６から棒１０４をはずすことで下部開口部が開口し、筒状体１０内部の集積された集積物１００が外に向かって押し出される。
【実施例７】
【００３５】
図７における図Ａは実施例７の斜視図であり、腕部Ｅ２５（２）の端を下方に曲げ、その端部を挿嵌部２０（２）とし、柱Ｆ５６（５）に設けられた連結部Ｆ３６（３）に挿嵌して連結し、該腕部Ｅ２５（２）を水平方向への回動可能に連結する。使用時には腕部Ｅ２５（２）を手前方向に突き出して静止させることで、該腕部Ｅ２５（２）に掛着させた筒状体１０（１）が立体的な空間を形成する。否使用時には該腕部Ｅ２５（２）をほぼ９０度水平方向に回動することによって、押しつぶされて平面的に変形する。
【００３６】
図Ｂは、連結部Ｆ３６（３）の部分拡大図である。前記挿嵌部２０（２）の上部に腕部２が柱４内への落ち込みを防止することと水平方向の回動を止めるために固定手段９としての突起物９１を設ける。連結部Ｆ３６（３）の上端部には該突起部９１を掛着するための凹部９２を設け前記突起部９１を掛着する。固定手段９は同じ太さのパイプを異なる太さのパイプでつなぎ、合わせ目に凹凸をつけたものなど、固定手段であると同時に必要に応じ回動でき、かつ嵌合した腕部の落ち込みや離脱を防止できる構成であればよく、様々な形態が実現可能である。
【００３７】
本実施例は特願２００５−１４３６３４の改良発明でもあり、布状体１である上下に開口する筒状体１０の上部に載置部１０５を設け、載置部１０５に載せた集積物１００が、該載置部１０５の端に設けた投入口Ｂ１０６から下に落ちて集積される構成となっている。該載置部１０５の端部である該投入口Ｂ１０６には「さがり」１２を設けてあり、「さがり」１２の存在がカラス等鳥獣の侵入を防ぐ。「さがり」１２は垂れ幕状であって投入口Ｂ１０６を塞ぐ。載置部１０５の手前側が腕部Ｅ２５（２）に設けられたフックＧ２１７に掛着されており、側端は筒状体１０（１）の側壁に縫合されていていて変形及び揺動が可能であることからることから、載置部１０５に集積物１００を載せると該載置部１０５は奥側が沈み込み、滑り台のようになって集積物１００を筒状体１０の中に送り込む。「さがり」１２の側端を筒状体１０の側壁と縫合して出来るところの、該「さがり」１２と載置部１０５とのすき間を投入口Ｂ１０６とすることが可能で、該載置部１０５が沈み込み、「さがり」１２が押されて共に変形し、投入口Ｂ１０６が開口し集積物１００が下に落ちる。筒状体１０（１）は下端が地表に接して折れ曲がるだけの長さを有し、該折れ曲がった筒状体１０（１）を内部から集積物１００が踏みつけることから、覆いの下部より鳥獣が侵入することがない。
【実施例８】
【００３８】
図８は実施例８の斜視図である。柱Ｇ５７（５）をそのまま連結部Ｇ３７（３）とし、該柱Ｇ５７（５）の上部に凹部Ａ９２１と凹部Ｂ９２２を設け、該凹部の側面をなだらかに傾斜させ、該二つの凹部間を山状に盛り上げて山形部９３とする。腕部Ｆ２６の下端に挿嵌部２０（２）を構成し、挿嵌部２０（２）の上端には突起物９１を実施例７と同様に設けて前記凹部９２に止着させ、該腕部Ｆ２６の回動を静止させる。該構成により、腕部２に対する横方向の衝撃は山形部９３によって吸収される。該挿嵌部２０（２）の上部を水平方向に曲折し、腕部Ｆ２６とする。該間隔保持材２８を挟んで腕部Ｇ２７を設け、該二つの腕部２が連結されることで、折り曲げたときに二つの腕部にすき間が出来、剪断力や押しつぶす力の発生を防ぐことができる。突起物９１は省略することが出来、その場合腕部Ｆ２６の付け根を前記凹部９２１か凹部９２２にあてがうことで該腕部Ｆ２６を静止させる。
【００３９】
突起物９１が凹部Ａ９２１に掛着すると腕部Ｆ２６は手前方向に伸び、突起物９１が凹部Ｂ９２２に掛着すると腕部Ｆ２６を奥側に折り畳む。腕部Ｇ２７の先端は手前から奥方向に向かって、あるいは奥から手前に向かって移動することが可能となり、左右二つの腕部Ｇ２７を用いることでこれに掛着した布状体１を奥方向に向かって平行移動させることができる。腕部Ｇ２７の先端にフックＨ２１８を設け、腕部Ｆ２６の付け根あるいは連結部Ｇ３７（３）の側面あたりにフックＩ２１９を設ける。フックＨ２１８に前記筒状体１０（１）の手前側を掛着し、フックＩ２１９に該筒状体１０（１）の奥側を掛着する。左右一対の腕部を設け、筒状体１０を掛着して使用する。否使用時はピン３０による連結部を内側に向かって移動させると腕部Ｇ２７の先端即ち筒状体１０の手前側を奥に向かって送り込むことができる。否使用時には壁等に張り付いていて、使用時のみ立体的形状を復元してカラスなどの鳥獣から生ゴミなどの集積物を守るのに適した散乱防止用覆いのための設置用具が実現できる。
【実施例９】
【００４０】
図９は実施例９の斜視図である。柱Ｈ５８と上部の腕部Ｈ２９と下部の腕部Ｉ２１０が連続することで形成された矩形の枠状体を、回動又は振動可能にピン３０で互いに連結し、設置手段５とする。該枠状体の上部の角にフックＪ２１１０を角の数だけ（本図では４）設け、布状体１を立体的に掛着する。前記枠状体１につき一つのフックＫ２１１１をフックＪ２１１０の取り付け位置よりも中央寄りに取り付ける。前記布状体1には投入口Ｃ（１０７）を設ける。前記立体的に掛着れた布状体１は柱Ｈ５８を互いに引き合うように拘束するため、該柱Ｈ５８の位置及び全体の形状が安定する。集積物１００は投入口Ｃ（１０７）から立体的に掛着された布状体１の中（下）に投入される。
【００４１】
否使用時には腕部２９と腕部２９を矢印Ｆ６６と矢印Ｇ６７の方向に回動させ腕部２９どうしが重なるようにする。その際、柱Ｈ５８どうしの間隔が変化することから、前記枠状体一つにつき１カ所のフックＪ２１１０に掛着されていた布状体1をはずしてフックＫ２１１１に付け替える。本実施例は使用後の折りたたみ作業がやや面倒である反面、前記立体的に掛着れた布状体１は柱Ｈ５８を互いに引き合うように拘束して全体の形状が安定することや、構造が極めて単純であり製造が容易であるという長所を有する。本実施例における上部の腕部Ｈ２９か下部の腕部Ｉ２１０の一方を省略することが可能である。また、柱Ｈ５８は一つだけ残して他を省略することが可能であり、該一つの柱Ｈ５８を床に固定し、上部の腕部Ｈ２９のうちの一つと端部で接合し、他の腕部Ｈ２９と振動可能にピン３０で互いに連結しても本実施例と同様の効果が得られる。また、前記枠状体を二つに分割し、コの字型となった柱Ｈ５８と上部の腕部Ｈ２９と下部の腕部Ｉ２１０連続体を複数のピン３０によって連結しても同様の効果が得られる。
【図面の簡単な説明】
【００４２】
【図１】実施例１の斜視図である。
【図２】実施例２の斜視図である。
【図３】実施例３の斜視図である。
【図４】実施例４の斜視図  である。
【図５】図Ａ  実施例５の斜視図である。            図Ｂ  連結部の部分拡大図である。
【図６】図Ａ  実施例６の斜視図である。            図Ｂ  腕部Ｂ２１（２）が手前方向に押し出された状態を示す。            図Ｃ  腕部２が奥方向に押し込まれ、垂れ下がった状態を示す。            図Ｄ  連結部Ｂを連結部Ｃに置き換えた例である。
【図７】図Ａ  実施例７の斜視図である。            図Ｂ  連結部Ｃの部分拡大図である。
【図８】実施例８の斜視図である。
【図９】実施例９の斜視図である。
【符号の説明】
【００４３】
１  布状体
１０  筒状体
１００  集積物
１０１  投入口
１０２  下部開口部
１０３  ロープ
１０４  棒
１０５  載置部
１０６  投入口Ｂ
１０７  投入口Ｃ
１１  布状体の裾
１２  さがり
１３  天井部
２  腕部
２０  挿嵌部
２１  腕部Ａ
２１１  フックＡ
２１２  フックＢ
２１３  フックＣ
２１４  フックＤ
２１５  フックＥ
２１６  フックＦ
２１７  フックＧ
２１８  フックＨ
２１９  フックＩ
２１１０  フックＪ
２１１１  フックＫ
２２  腕部Ｂ
２３  腕部Ｃ
２４  腕部Ｄ
２５  腕部Ｅ
２６  腕部Ｆ
２７  腕部Ｇ
２８  間隔保持材
２９  腕部Ｈ
２１０  腕部Ｉ
３  連結部
３０  ピン
３１  連結部Ａ
３２  連結部Ｂ
３３  連結部Ｃ
３４  連結部Ｄ
３５  連結部Ｅ
３６  連結部Ｆ
３７  連結部Ｇ
４  支持部
４１  支持部Ａ
４２  支持部Ｂ
５  設置手段
５１  柱Ａ
５２  柱Ｂ
５３  柱Ｃ
５４  柱Ｄ
５５  柱Ｅ
５６  柱Ｆ
５７  柱Ｇ
５８  柱Ｈ
６  矢印
６１  矢印Ａ
６２  矢印Ｂ
６３  矢印Ｃ
６４  矢印Ｄ
６５  矢印Ｅ
６６  矢印Ｆ
６７  矢印Ｇ
７  布状体用のカバー
７１  シート
７１１  シートの裾
７１２  掛止穴
７２  容器
７２１  蓋
８  開閉手段
８１  リングＡ
８２  リングＢ
８３  ロープ固定用リング
８３１  リングＣ
８３２  リングＤ
９  固定手段
９１  突起物
９２  凹部
９２１  凹部Ａ
９２２  凹部Ｂ
９３  山形部
【図１】
2007001687.tif 000003
【図２】
2007001687.tif 000004
【図３】
2007001687.tif 000005
【図４】
2007001687.tif 000006
【図５】
2007001687.tif 000007
【図６】
2007001687.tif 000008
【図７】
2007001687.tif 000009
【図８】
2007001687.tif 000010
【図９】
2007001687.tif 000011
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
網や布等である布状体と、腕部を入れ子式にすることや、腕部を連結部において回動させることや、リングや筒等である支持部から腕部を出没させること等によって折りたたみ可能な棒状の腕部と、壁面への取り付け部材や柱である設置手段とによって構成され、該設置手段に前記腕部を折りたたみ可能に連結し、該腕部に前記布状体をつまみ上げ係着して地上の所定の高さに支え持つことが出来るようにし、前記腕部の折り畳み及び伸展に伴って前記布状体の折りたたみ及び伸展がなされることを特徴とする散乱防止用覆い。
【手続補正２】
【補正対象書類名】明細書
【補正対象項目名】全文
【補正方法】変更
【補正の内容】
【発明の詳細な説明】
【背景技術】
【０００１】
本発明はごみ集荷場等におけるごみの散乱を防止する散乱防止用覆いに関するものである。
【０００２】
近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。
【０００３】
【特許文献１】特許３４９１２６２      特許３４９１２６２に記載された発明は「ネット（１）の左右縁枠の点と、それより大きなネット（２）の左右縁枠の点をそれぞれ接合し、長さの異なる縁枠を壁に寄せながら縫合し、ネット（１）の縁枠下側の一部に棒を取り付けてゴミ集積ネットを構成、正面のふたが下方に開くそのゴミ集積ネットの収納ケースを固定柱に取り付け、そのケース上部の左右の壁には棒を差し込み、固定できる溝を設け、ケース下部にネット（１）とネット（２）が縫合されてなるネットの上部を固定、そのケースから垂らしたネット（１）の長さがケースから地面の高さより長いことを特徴とする収納ケース付ゴミ集積ネット。」（請求項１）である。
【０００４】
前記特許３４９１２６２に記載された発明は「ネット（１）の縁枠下側の一部に棒を取り付けて」「ゴミ集積ネットの収納ケース」の「上部の左右の壁には棒を差し込み、固定できる溝を設け」てある。当該棒は使用時には取り外されて、前記収納ケースから下に垂れ下がることになる。当該棒が垂れ下がらずに支柱あるいは壁面等に取り付けられ、当該棒に前記ネットが支持されていれば、前記ネットの一部がつまみ上げられた状態になり、当該ネット下にゴミ類を入れやすくなる。また、当該棒の一部が可動的に支持され、当該棒を回動等の操作によって折りたたみ可能とすれば、当該ネットは小さくまとめやすくなる。当該棒が支柱や壁面等に可動的に取り付けられ、当該棒の操作により当該ネットの折りたたみを容易にした散乱防止用覆いが望まれる。
【０００５】
また、前記収納ケースに当該棒の一端を可動的に接合するか、可動的に設置した前記棒を覆うように前記収納ケースを設けることによって、当該棒を回動等の操作をすることによって拡張すれば前記ネットは自動的に広げられ、取り扱いが極めて容易となる。また，前記棒を折り畳む等の操作によって前記ネットが自動的に折りたたまれ、収納がより容易になる。当該棒が可動的に接合支持され、折りたたむことで当該ネットの収納を容易にした散乱防止用覆いが望まれる。
【０００６】
【特許文献２】特願２００４−３５３７８１号        特願２００４−３５３７８１号に記載された発明は布状体によって構成された上下に開口する筒を散乱防止用覆いとした例であるが、壁際などに設置した場合、集積量が多くなるにつれ正面方向に向かって突出してくるため、横に長く拡張し、上に積み上げる量を減らしたい。しかしあまり横に長くすると設置場所が限られたり、見苦しくもある。折りたたみが容易で否使用時には小さく折り畳んでおけるような散乱防止用覆いが望まれる。
【０００７】
【特許文献３】特願２００５−１４３６３４
【特許文献４】特願２００４−３６９０３０      実施例５と実施例６は特願２００５−１４３６３４と特願２００４−３６９０３０の改良発明であり、筒状体の上部にさがりを設けた投入口を有し、下部開口部に絞り込み手段を有した散乱防止用覆いであるる。さがりがあることでカラスの侵入を防ぎ、下部開口部に絞り込み手段があることで覆いの裾からの鳥獣の侵入を防ぐと同時に集積した内容物を取り出ししやすくしている。しかし、それだけでは狭小な路上等に設置した散乱防止用覆いが通行の妨げになる。使用時には腕部が前方に突出し、集積物の投入を容易にし否使用時には腕部２が折り畳まれて壁際に張り付いたように縮小される散乱防止用覆いとなり、本実施例がそれを実現している。
【発明の開示】
【発明が解決しようとする課題】
【０００８】
折りたたみと拡張が簡便な操作で実現でき、否使用時には小さくまとめておくことのできる使い勝手の良い散乱防止用覆いを供すること。
【課題を解決するための手段】
【０００９】
網や布等である布状体と、腕部を入れ子式にすることや、腕部を連結部において回動させることや、リングや筒等である支持部から腕部を出没させること等によって折りたたみ可能な棒状の腕部と、壁面への取り付け部材や柱である設置手段とによって構成され、該設置手段に前記腕部を折りたたみ可能に連結し、該腕部に前記布状体をつまみ上げ係着して地上の所定の高さに支え持つことが出来るようにし、前記腕部の折り畳み及び伸展に伴って前記布状体の折りたたみ及び伸展がなされることを特徴とする散乱防止用覆いを供する。
【発明の効果】
【００１０】
網や布等である布状体と、腕部を入れ子式にすることや、腕部を連結部において回動させることや、リングや筒等である支持部から腕部を出没させること等によって折りたたみ可能な棒状の腕部と、壁面への取り付け部材や柱である設置手段とによって構成され、該設置手段に前記腕部を折りたたみ可能に連結し、該腕部に前記布状体をつまみ上げ係着して地上の所定の高さに支え持つことが出来るようにし、前記腕部の折り畳み及び伸展に伴って前記布状体の折りたたみ及び伸展がなされることを特徴とする散乱防止用覆いであるため，次の効果を奏する。
【００１１】
布状体である覆いを支え持っていることから、前記覆いの裾をつまみ上げて、下へゴミ袋等の集積物を入れやすい。また、前記覆いの上部に投入口を設けた場合には該覆いの下に投入物を集積するための空間を作りやすく、使い勝手の良い散乱防止用覆いが構成できる。また、前記腕部が折りたたみ可能であるため、該腕部を折り畳むことでこれに連結した前記覆いも同時に折り畳めることから、該覆いを小さく畳んで片づける作業を効率的に行うことができる。
【発明を実施するための最良の形態】
【００１２】
本願発明は簡便に折り畳むことができ、否使用時には小さくまとめておくことのできる散乱防止用覆いを供することにあり、以下図に基づき具体的に述べるものとする。なお、請求項と明細書における「折りたたみ可能な腕部」とは腕部を入れ子式にすることや、腕部を回動させることや、支持部から腕部を出没させること等を含むものであって、該腕部の操作により、該腕部に取り付けられた散乱防止用覆いの主体である布状体の長さを変えたり、当該布状体が占める空間を縮小することを「可能にした腕部」であることを意味するものである。また、「カバー」は本件発明の「布状体による覆い」を小さくまとめたものを覆うための覆いあるいは容器である。
【実施例１】
【００１３】
図１は実施例１の斜視図であって，下に空間を形成できるように網や布である布状体１の中程をつまみ上げて腕部２である腕部Ａ２１（２）に設けられたフックＡ２１１に掛着し、該腕部Ａ２１（２）は回動自在な連結部Ａ３１（３）を介して支持部Ａ４１（４）に接合され、該支持部Ａ４１（４）は設置手段５である柱Ａ５１（５）に固定される。設置手段５は壁などの平面的なものにも置き換え可能である。腕部２が布状体１を支え持っていることから、前記布状体１の裾１１をつまみ上げて、下へゴミ袋等の集積物１００を入れることが容易に出来る。また、前記腕部２を矢印６である矢印Ａ６１（６）と矢印Ｂ６２（６）の方向に回動させることにより該腕部２に掛着させてある布状体１を折り畳むことが可能であることから、布状体１を小さく畳んで片づける作業を効率的に行うことができる。また、前記布状体１の下に集積物１００を集積するための空間を作りやすく、使い勝手の良い散乱防止用覆いが構成できる。集積物１００の回収は布状体1の裾をめくりあげることや、布状体１を折り畳むようにまとめて引き上げることによって、集積物１００が布状体内から転がり出す。
【実施例２】
【００１４】
図２は実施例２の斜視図である。柱Ｂ５２（５）から支持部Ｂ４２（４）を手前方向に伸ばし、先端に連結部Ｂ３２（３）を設け、該連結部Ｂ３２（３）を介して腕部Ｂ２２（２）を設ける。該連結部Ｂ３２（３）と腕部Ｂ２２（２）の先端にフックＡ２１１を設け、布状体１を掛着させる。柱Ｂ５２（５）に布状体１用のカバー７であるシート７１（７）を設置する。該シート７１は平面的な布状体であって下部に掛着手段である掛止穴７１２を設け、上端近くの複数箇所を柱Ｂ５２（５）に固定し、平面的に垂れ下げて設置される。本実施例の否使用時には矢印Ａ６１（６）と矢印Ｂ６２（６）の方向に回動させ折り畳むと該腕部２に掛着された布状体1も縦長に折り畳まれる。該折り畳まれた布状体１の長さの上からほぼ四分の三の位置付近を手にとって矢印Ｃ６３（６）の方向に持ち上げ、折り畳まれた前記腕部Ｂ２２（２）に掛けるようにして、該腕部Ｂ２２（２）と前記シート７１（７）との間に押し込む。
【００１５】
以上により、布状体１はシート７１の前に小さく折り畳まれて腕部２に掛けられた状態になる。シート７１（７）の裾７１１をつまみ上げて掛着手段である掛止穴７１２をフックＢ２１２に掛着することで、布状体1はシート７１によって包み込まれ、一定の美観を保つことができる。支持部Ｂ４２（４）を省略し、柱Ｂ５２（５）に連結部Ｂ３２（３）を固定することも可能で、その場合シート７１（７）は柱Ｂ５２（５）の後ろに取り付け、下から前に回して柱Ｂ５２（５）の上端部に設けたフックＢ２１２に掛着穴７１２を掛着する。以上のようにして、布状態は1はシート７１に覆われて美観を保つ。前記折り畳まれた腕部Ｂ２２（２）の他に掛止用の腕部２を設けることも可能である。その場合作業上の安定感が得られる。
【実施例３】
【００１６】
図３は実施例３の斜視図である。実施例３は実施例２とほぼ同様であって、実施例２におけるカバー７を蓋７２１（７）を有する容器７２（７）に入れ替えたものである。該容器は前記シート７１（７）を立体的に縫製したものを含むものとする。支持部Ｂ４２（４）を省略し連結部Ｂ３２（３）を容器７２（７）の側面あるいは柱Ｃ５３（５）に取り付ける。使用方法は実施例２と同様であって、腕部Ｂ２２（２）を矢印Ａ６１（６）と矢印Ｂ６２（６）の方向に回動させて折りたたみ、そのことによって折り畳まれた布状体１を長さの上からほぼ四分の三の位置あたりを手にとって矢印Ｃ６３（６）の方向に持ち上げ、前記折り畳まれた腕部Ｂ２２（２）に掛けるように該腕部Ｂ２２（２）と前記容器７２（７）との間に押し込んで布状体１をを小さく折り畳み、蓋７２１（７）を上に向かってとじる。布状体１を完全に覆い隠すことができ、美観が保たれる。
【実施例４】
【００１７】
図４は実施例４の斜視図である。本実施例は特願２００４−３５３７８１の改良発明であり、布状体１である上下に開口する筒状体１０（１）を腕部Ａ２１（２）に掛着したものである。該腕部２に筒状体１０の奥側を複数箇所固定し、該筒状体１０の上端部手前側に開閉手段８であるリングＡ８１（８）を設け、腕部Ａ２１（２）に設けられたフックＡ２１１に掛着する。集積物１００の投入は該リングＡ８１（８）をはずして手前に引き寄せることで該筒状体１０の上端部を開口し、投入する。該集積物１００の回収の仕方は前記実施例１と同様である。本実施例にもカバー７であるシート７１（７）や容器７２（７）を採用することが可能であり、その場合の使用方法は実施例２と３に同様である。
【実施例５】
【００１８】
図５における図Ａは実施例５の斜視図であり、図Ｂは同図における柱と腕部の連結部の部分拡大図である。腕部Ｃ２３（２）は連結部Ｃ３３であるピンによって手前方向に突き出すように柱Ｄ５４（５）に取り付けられ、垂直方向に回動可能に連結される。矢印Ｄ６４（６）の方向に回動させて折りたたみ可能とし、使用時は該腕部Ｃ２３（２）は手前方向に突き出した状態で支持部Ｂ４２によって支えられる。該腕部Ｃ２３（２）の先端にはフックＣ２１３を配し、筒状体１０の手前側上部を掛止する。筒状体１０の奥側上部は左右の柱Ｄ５４（５）をつなぐ腕部Ｄ２４（２）に掛止される。
実施例１ないし３が横方向へ布状体１を拡張したのに対し本実施例は腕部Ｃ２３（２）に筒状体１０（１）の手前側と奥側とが掛着されて手前方向に拡張し立体な空間を形成する。腕部Ｃ２３（２）を上方向に回動させると筒状体１０（１）は手前が奥方向に移動して平面的に押しつぶされる。腕部Ｃ２３（２）を前記矢印Ｄ６４（６）が示す方向とは逆方向に回動させ、否使用時に腕部を下に垂らした状態にしておくことも可能である。使用時のみ腕を上に上げるようにするには支持部Ｂ４２を跳ね上げ可能に構成するか腕部Ｃ２３（２）が支持部Ｂ４２の横を回避して上に向かって回動できるようにゆとりを持って連結する。
【００１９】
本実施例は特願２００４−３６９０３０と特願２００５−１４３６３４の改良発明でもあり、布状体１である上下に開口する筒状体１０の投入口１０１には「さがり」１２を設けてあり、「さがり」１２の存在がカラスなどの鳥獣の侵入を防ぐ。該「さがり」１２は筒状体１０（１）の天井部１３（１）の端を投入口１０１の開始部において曲折させて下に垂らしたものである。下部開口部１０２には絞り込み手段であるロープ１０３が配されており、ロープ１０３は一端が設置手段である柱Ｄ５４（５）に設けられたロープ固定用のリング８３であるリングＣ８３１（８３）に掛着され、下部開口部１０２周縁付近に設けられたロープ１０３を筒状体１０に掛着するためのリングＢ８２（８）内を通って下部開口部１０２を両側から挟みこんで、柱Ｄ５４（５）に設けられたリングＤ８３２（８３）を通り、もう一端が柱Ｄ５４（５）の上部に設けられたフックＤ２１４に掛着される。該フックＤ２１４からロープ１０３をはずすと該ロープ１０３にさみつけられ閉ざされていた下部開口部１０２が開口する。そのことで筒状体１０内部の集積された集積物１００が外に向かって押し出される。
【実施例６】
【００２０】
図６における図Ａは実施例６の斜視図であり、柱Ｅ５５（５）に設けられた連結部Ｄ３４（３）に腕部Ｄ２４（２）を遊嵌し、出入可能に設置する。該腕部Ｄ２４（２）の先端にはフックＥ２１５が設けられ筒状体１０（１）の手前側が掛着される。筒状体１０（１）の奥側は柱Ｅ５５（５）もしくは連結部Ｄ３４（３）に設けたフック等に掛着される。該腕部Ｄ２４（２）を奥に向かって押し込むと、それに伴い筒状体１０（１）の手前が奥方向に移動して平面的に押しつぶされる。図Ｂは、腕部Ｄ２４（２）が連結部Ｄ３４（３）の中を通って手前方向に押し出された状態を示し、該腕部Ｄ２４（２）を矢印Ｅ６５（６）の方向に押し込むと図Ｃのようになる。
【００２１】
図Ｃは腕部Ｄ２４（２）が奥方向（矢印Ｅ６５の方向）に向かって方向を変えながら押し込まれ、垂れ下がった状態を示している。図Ｄは図ＡないしＣにおける連結部Ｄ３４（３）を連結部Ｅ３５（３）に置き換えた例である。連結部Ｅ３５（３）は図Ｅのごとき細長い横長のリング状であって、該リングの一端で、腕部Ｄ２４（２）の付け根近くを上から押さえ、他の一端で該腕部腕部Ｄ２４（２）の前記上から押さえ位置よりも先端よりの位置を下から支える。腕部Ｄ２４（２）は自重による前記押さえた接点への加圧により固定される。
【００２２】
本実施例は特願２００４−３６９０３０と特願２００５−１４３６３４の改良発明でもあり、布状体１である上下に開口する筒状体１０の投入口１０１には「さがり」１２を設けてあり、「さがり」１２の存在がカラスの侵入を防ぐ。下部開口部には絞り込み手段である棒１０４が配されており、棒１０４の両端部が設置手段である柱Ｅ５５（５）に設けられたフックＦ２１６に掛着される。フックＦ２１６から棒１０４をはずすことで下部開口部が開口し、筒状体１０内部の集積された集積物１００が外に向かって押し出される。
【実施例７】
【００２３】
図７における図Ａは実施例７の斜視図であり、腕部Ｅ２５（２）の端を下方に曲げ、その端部を挿嵌部２０（２）とし、柱Ｆ５６（５）に設けられた連結部Ｆ３６（３）に挿嵌して連結し、該腕部Ｅ２５（２）を水平方向への回動可能に連結する。使用時には腕部Ｅ２５（２）を手前方向に突き出して静止させることで、該腕部Ｅ２５（２）に掛着させた筒状体１０（１）が立体的な空間を形成する。否使用時には該腕部Ｅ２５（２）をほぼ９０度水平方向に回動することによって、押しつぶされて平面的に変形する。
【００２４】
図Ｂは、連結部Ｆ３６（３）の部分拡大図である。前記挿嵌部２０（２）の上部に腕部２が柱４内への落ち込みを防止することと水平方向の回動を止めるために固定手段９としての突起物９１を設ける。連結部Ｆ３６（３）の上端部には該突起部９１を掛着するための凹部９２を設け前記突起部９１を掛着する。固定手段９は同じ太さのパイプを異なる太さのパイプでつなぎ、合わせ目に凹凸をつけたものなど、固定手段であると同時に必要に応じ回動でき、かつ嵌合した腕部の落ち込みや離脱を防止できる構成であればよく、様々な形態が実現可能である。
【００２５】
本実施例は特願２００５−１４３６３４の改良発明でもあり、布状体１である上下に開口する筒状体１０の上部に載置部１０５を設け、載置部１０５に載せた集積物１００が、該載置部１０５の端に設けた投入口Ｂ１０６から下に落ちて集積される構成となっている。該載置部１０５の端部である該投入口Ｂ１０６には「さがり」１２を設けてあり、「さがり」１２の存在がカラス等鳥獣の侵入を防ぐ。「さがり」１２は垂れ幕状であって投入口Ｂ１０６を塞ぐ。載置部１０５の手前側が腕部Ｅ２５（２）に設けられたフックＧ２１７に掛着されており、側端は筒状体１０（１）の側壁に縫合されていていて変形及び揺動が可能であることからることから、載置部１０５に集積物１００を載せると該載置部１０５は奥側が沈み込み、滑り台のようになって集積物１００を筒状体１０の中に送り込む。「さがり」１２の側端を筒状体１０の側壁と縫合して出来るところの、該「さがり」１２と載置部１０５とのすき間を投入口Ｂ１０６とすることが可能で、該載置部１０５が沈み込み、「さがり」１２が押されて共に変形し、投入口Ｂ１０６が開口し集積物１００が下に落ちる。筒状体１０（１）は下端が地表に接して折れ曲がるだけの長さを有し、該折れ曲がった筒状体１０（１）を内部から集積物１００が踏みつけることから、覆いの下部より鳥獣が侵入することがない。
【実施例８】
【００２６】
図８は実施例８の斜視図である。柱Ｇ５７（５）をそのまま連結部Ｇ３７（３）とし、該柱Ｇ５７（５）の上部に凹部Ａ９２１と凹部Ｂ９２２を設け、該凹部の側面をなだらかに傾斜させ、該二つの凹部間を山状に盛り上げて山形部９３とする。腕部Ｆ２６の下端に挿嵌部２０（２）を構成し、挿嵌部２０（２）の上端には突起物９１を実施例７と同様に設けて前記凹部９２に止着させ、該腕部Ｆ２６の回動を静止させる。該構成により、腕部２に対する横方向の衝撃は山形部９３によって吸収される。該挿嵌部２０（２）の上部を水平方向に曲折し、腕部Ｆ２６とする。該間隔保持材２８を挟んで腕部Ｇ２７を設け、該二つの腕部２が連結されることで、折り曲げたときに二つの腕部にすき間が出来、剪断力や押しつぶす力の発生を防ぐことができる。突起物９１は省略することが出来、その場合腕部Ｆ２６の付け根を前記凹部９２１か凹部９２２にあてがうことで該腕部Ｆ２６を静止させる。
【００２７】
突起物９１が凹部Ａ９２１に掛着すると腕部Ｆ２６は手前方向に伸び、突起物９１が凹部Ｂ９２２に掛着すると腕部Ｆ２６を奥側に折り畳む。腕部Ｇ２７の先端は手前から奥方向に向かって、あるいは奥から手前に向かって移動することが可能となり、左右二つの腕部Ｇ２７を用いることでこれに掛着した布状体１を奥方向に向かって平行移動させることができる。腕部Ｇ２７の先端にフックＨ２１８を設け、腕部Ｆ２６の付け根あるいは連結部Ｇ３７（３）の側面あたりにフックＩ２１９を設ける。フックＨ２１８に前記筒状体１０（１）の手前側を掛着し、フックＩ２１９に該筒状体１０（１）の奥側を掛着する。左右一対の腕部を設け、筒状体１０を掛着して使用する。否使用時はピン３０による連結部を内側に向かって移動させると腕部Ｇ２７の先端即ち筒状体１０の手前側を奥に向かって送り込むことができる。否使用時には壁等に張り付いていて、使用時のみ立体的形状を復元してカラスなどの鳥獣から生ゴミなどの集積物を守るのに適した散乱防止用覆いのための設置用具が実現できる。
【実施例９】
【００２８】
図９は実施例９の斜視図である。柱Ｈ５８と上部の腕部Ｈ２９と下部の腕部Ｉ２１０が連続することで形成された矩形の枠状体を、回動又は振動可能にピン３０で互いに連結し、設置手段５とする。該枠状体の上部の角にフックＪ２１１０を角の数だけ（本図では４）設け、布状体１を立体的に掛着する。前記枠状体１につき一つのフックＫ２１１１をフックＪ２１１０の取り付け位置よりも中央寄りに取り付ける。前記布状体1には投入口Ｃ（１０７）を設ける。前記立体的に掛着れた布状体１は柱Ｈ５８を互いに引き合うように拘束するため、該柱Ｈ５８の位置及び全体の形状が安定する。集積物１００は投入口Ｃ（１０７）から立体的に掛着された布状体１の中（下）に投入される。
【００２９】
否使用時には腕部２９と腕部２９を矢印Ｆ６６と矢印Ｇ６７の方向に回動させ腕部２９どうしが重なるようにする。その際、柱Ｈ５８どうしの間隔が変化することから、前記枠状体一つにつき１カ所のフックＪ２１１０に掛着されていた布状体1をはずしてフックＫ２１１１に付け替える。本実施例は使用後の折りたたみ作業がやや面倒である反面、前記立体的に掛着れた布状体１は柱Ｈ５８を互いに引き合うように拘束して全体の形状が安定することや、構造が極めて単純であり製造が容易であるという長所を有する。本実施例における上部の腕部Ｈ２９か下部の腕部Ｉ２１０の一方を省略することが可能である。また、柱Ｈ５８は一つだけ残して他を省略することが可能であり、該一つの柱Ｈ５８を床に固定し、上部の腕部Ｈ２９のうちの一つと端部で接合し、他の腕部Ｈ２９と振動可能にピン３０で互いに連結しても本実施例と同様の効果が得られる。また、前記枠状体を二つに分割し、コの字型となった柱Ｈ５８と上部の腕部Ｈ２９と下部の腕部Ｉ２１０連続体を複数のピン３０によって連結しても同様の効果が得られる。
【図面の簡単な説明】
【００３０】
【図１】実施例１の斜視図である。
【図２】実施例２の斜視図である。
【図３】実施例３の斜視図である。
【図４】実施例４の斜視図  である。
【図５】図Ａ  実施例５の斜視図である。                  図Ｂ  連結部の部分拡大図である。
【図６】図Ａ  実施例６の斜視図である。                  図Ｂ  腕部Ｂ２１（２）が手前方向に押し出された状態を示す。                  図Ｃ  腕部２が奥方向に押し込まれ、垂れ下がった状態を示す。                  図Ｄ  連結部Ｂを連結部Ｃに置き換えた例である。
【図７】図Ａ  実施例７の斜視図である。                  図Ｂ  連結部Ｃの部分拡大図である。
【図８】実施例８の斜視図である。
【図９】実施例９の斜視図である。
【符号の説明】
【００３１】
１  布状体
１０  筒状体
１００  集積物
１０１  投入口
１０２  下部開口部
１０３  ロープ
１０４  棒
１０５  載置部
１０６  投入口Ｂ
１０７  投入口Ｃ
１１  布状体の裾
１２  さがり
１３  天井部
２  腕部
２０  挿嵌部
２１  腕部Ａ
２１１  フックＡ
２１２  フックＢ
２１３  フックＣ
２１４  フックＤ
２１５  フックＥ
２１６  フックＦ
２１７  フックＧ
２１８  フックＨ
２１９  フックＩ
２１１０  フックＪ
２１１１  フックＫ
２２  腕部Ｂ
２３  腕部Ｃ
２４  腕部Ｄ
２５  腕部Ｅ
２６  腕部Ｆ
２７  腕部Ｇ
２８  間隔保持材
２９  腕部Ｈ
２１０  腕部Ｉ
３  連結部
３０  ピン
３１  連結部Ａ
３２  連結部Ｂ
３３  連結部Ｃ
３４  連結部Ｄ
３５  連結部Ｅ
３６  連結部Ｆ
３７  連結部Ｇ
４  支持部
４１  支持部Ａ
４２  支持部Ｂ
５  設置手段
５１  柱Ａ
５２  柱Ｂ
５３  柱Ｃ
５４  柱Ｄ
５５  柱Ｅ
５６  柱Ｆ
５７  柱Ｇ
５８  柱Ｈ
６  矢印
６１  矢印Ａ
６２  矢印Ｂ
６３  矢印Ｃ
６４  矢印Ｄ
６５  矢印Ｅ
６６  矢印Ｆ
６７  矢印Ｇ
７  布状体用のカバー
７１  シート
７１１  シートの裾
７１２  掛止穴
７２  容器
７２１  蓋
８  開閉手段
８１  リングＡ
８２  リングＢ
８３  ロープ固定用リング
８３１  リングＣ
８３２  リングＤ
９  固定手段
９１  突起物
９２  凹部
９２１  凹部Ａ
９２２  凹部Ｂ
９３  山形部